(57)【要約】      （修正有）【課題】建築開口部の被覆に用いられるシェード材料を含む展示用ツールを提供する。【解決手段】展示用ツール２は、フレーム構造４と、フレーム構造４に動作可能に接続された駆動組立体と、フレーム構造４により回転可能に支持され且つ駆動組立体に動作可能に接続された、複数のブレード８と、ブレード８に取り付けられたシェード材料１０と、を含む。駆動組立体の少なくとも１部分は実質的に剛性である。フレーム構造４は、運搬可能であり、形状が実質的に直方体である。フレーム構造４は通常の建築開口部の寸法よりも小さい寸法となる。例えば、フレーム構造の高さおよび幅の両方は、シェード材料１０が配置されるであろう最小の建築開口部の高さおよび幅よりも小さいものとなる。【選択図】図５
0003207328.tif 000002
【実用新案登録請求の範囲】
【請求項１】
運搬可能なフレーム構造と、
前記フレーム構造に結合され且つ前記フレーム構造内に少なくとも部分的に受容される、駆動組立体と、
前記駆動組立体に少なくとも部分的に接続されるシェード材料であって、前記駆動組立体の動作は、前記シェード材料を、前記フレーム構造内において開放位置と閉止位置との間で移動させる、シェード材料と、
を含む展示用ツール。
【請求項２】
前記駆動組立体は実質的に剛性である、請求項１に記載の展示用ツール。
【請求項３】
前記駆動組立体の実質的に剛性の構造の平行移動または回転は前記シェード材料を前記開放位置と前記閉止位置との間で移動させる、請求項１または請求項２に記載の展示用ツール。
【請求項４】
前記シェード材料は、前記駆動組立体の作動要素を手動により移動させることにより、前記開放位置と前記閉止位置との間で移動される、請求項１〜請求項３のうちのいずれか１項に記載の展示用ツール。
【請求項５】
前記作動要素は前記フレーム構造の側面に取り付けられる、請求項４に記載の展示用ツール。
【請求項６】
前記作動要素は前記フレーム構造と摺動可能に連結されたスライダである、請求項４または請求項５に記載の展示用ツール。
【請求項７】
前記スライダは前記フレーム構造内に画成されたスライダ開口部内に受容される、請求項６に記載の展示用ツール。
【請求項８】
前記作動要素は前記フレーム構造に回転可能に連結されたクランク・ハンドルである、請求項４または請求項５に記載の展示用ツール。
【請求項９】
前記剛性の動作要素は前記シェード材料を前記開放位置と前記閉止位置との間で移動させる、請求項１〜請求項８のうちのいずれか１項に記載の展示用ツール。
【請求項１０】
前記フレーム構造は高さおよび幅を有し、前記高さおよび前記幅の両方は、前記シェード材料が配置されるであろう最小の建築開口部の高さおよび幅よりも小さい、請求項１〜請求項９のうちのいずれか１項に記載の展示用ツール。
【請求項１１】
前記フレーム構造は前記フレーム構造の少なくとも一方の端部壁の近傍に少なくとも１つのハンドルを含む、請求項１〜請求項１０のうちのいずれか１項に記載の展示用ツール。
【請求項１２】
前記少なくとも１つのハンドルは前記少なくとも一方の端部壁と同一平面状となるよう平坦表面を画成する、請求項１１に記載の展示用ツール。
【請求項１３】
前記駆動組立体は、
前記フレーム構造内に摺動可能に受容される第１レールおよび第２レールと、
前記第１レールと前記第２レールとの間を横切るように延長する複数の桟と、
パネル挿入体を手動により操作するために前記第１レール上に配置されたスライダと、を含む、
パネル挿入体を含み、
前記シェード材料は前記複数の桟に接続され、
前記スライダの摺動運動は前記パネル挿入体を移動させ、それにより前記シェード材料は前記開放位置と前記閉止位置との間で移動される、
請求項１〜請求項１２のいずれか１項に記載の展示用ツール。
【請求項１４】
前記パネル挿入体は実質的に剛性である、請求項１３に記載の展示用ツール。
【請求項１５】
前記フレーム構造により回転可能に支持され且つ前記駆動組立体に動作可能に接続された、複数のブレードをさらに含む、請求項１〜請求項１４のうちのいずれか１項に記載の展示用ツール。
【請求項１６】
前記駆動組立体は、
駆動スプロケットを含むクランク部材と、
各前記複数のブレードに取り付けられたピニオン・ギアと、
前記フレーム構造の長手方向長さに沿って移動可能であり且つ前記駆動スプロケットおよび前記ピニオン・ギアと動作可能に接続された、ラック部材と、
を含む、請求項１５に記載の展示用ツール。
【請求項１７】
前記クランク部材は前記ラック部材を前記フレーム構造の前記長手方向長さに沿って移動させ、それにより前記ピニオン・ギアは回転され、前記複数のブレードは回転駆動される、請求項１６に記載の展示用ツール。
【請求項１８】
前記フレーム構造は第１フレームおよび第２フレームを含む、請求項１〜請求項１７のうちのいずれか１項に記載の展示用ツール。
【請求項１９】
前記駆動組立体の１部分は実質的に前記第１フレームと前記第２フレームとの間で摺動可能に支持される、請求項１８に記載の展示用ツール。
【請求項２０】
建築開口部の被覆の縮小化された見本を試用するための展示用システムであって、
チャンバを画成する格納容器と、
前記チャンバ内に放出可能に固定され、且つ、
フレーム構造、
前記フレーム構造に動作可能に連結された駆動組立体、および、
前記駆動組立体に少なくとも部分的に取り付けられたシェード材料であって、前記駆動組立体の動作は前記シェード材料を前記フレーム構造内において閉止位置と開放位置との間で移動させる、シェード材料、を含む、
展示用ツールと、
を含む、展示用システム。
【請求項２１】
前記駆動組立体は、対応する実サイズのシェードの動作機構と動作的に異なる動作機構を含む、請求項２０に記載の展示用システム。
【請求項２２】
前記展示用ツールは、前記フレーム構造の端部表面の近傍において前記フレーム構造内に固定された少なくとも１つの磁石をさらに含み、
前記格納容器は前記チャンバの内側壁部に沿って配置された対応する磁石を含み、前記展示用ツールを前記チャンバ内で受容することは、前記少なくとも１つの磁石および前記対応する磁石を位置合わせし、それにより前記展示用ツールは前記チャンバ内で放出可能に固定される、
請求項２０または請求項２１に記載の展示用システム。
【考案の詳細な説明】
【技術分野】
【０００１】
関連出願の相互参照
本願は、全般的には、建築開口部のための被覆に関し、さらに詳細には、シェードの展示および見本に関する。
【０００２】
本願は合衆国法典第３５巻第１１９条（ｅ）にしたがって、「Ｄｉｓｐｌａｙ  Ｔｏｏｌ  ｆｏｒ  Ｓａｍｐｌｉｎｇ  ａ  Ｃｏｖｅｒｉｎｇ  ｆｏｒ  ａｎ  Ａｒｃｈｉｔｅｃｔｕｒａｌ  Ｏｐｅｎｉｎｇ」を発明の名称とする２０１５年２月１３日に出願された米国仮特許出願整理番号第６２／１１５，８３９号の優先権の利益を主張する。同特許の全体は参照することにより本願に援用される。
【考案の概要】
【考案が解決しようとする課題】
【０００３】
建築開口部（例えば窓、ドア、アーチ道、その他）のための被覆は長年にわたり様々な形態を取ってきた。顧客が、色および生地の選択肢を含む多くの形態の被覆間で選択することを支援するために、通常は展示用ツールが用いられる。通常、展示用ツールは、被覆を閉止位置、開放位置、または閉止位置と開放位置との間の任意の位置において選択的に被覆を示さない。これは顧客に対して著しい不便をもたらす。
【課題を解決するための手段】
【０００４】
本開示は、全般的には、既存の構成に対する改善または代替を提供する、建築開口部のための被覆を試用するための展示用ツールを提供する。好適には展示用ツールは、対応する実サイズのシェードの機能的（例えば動作に関する）特性および／または審美的（例えば概観、透光性、テクスチャ、その他に関する）特性を実際に示すために、シェードの縮小化された見本を展示する。展示用ツールは、実際の機構を使用することなく、実サイズのシェードの動作を実際に示すことを可能にし得、または、実際の機構の縮小版を使用して、実サイズのシェードの動作を実際に示すことを可能にし得る。好適な実施形態では、展示用ツールは、実サイズのシェードが設置される実際の環境においてシェードの特性を迅速かつ正確にユーザが試用することを可能にする。
【０００５】
本開示の実施形態は、建築開口部のための被覆を試用するための展示用ツールを含み得る。いくつかの実施形態では、展示用ツールは、フレーム構造と、フレーム構造に動作可能に接続された駆動組立体と、フレーム構造により回転可能に支持され且つ駆動組立体に動作可能に接続された、複数のブレードと、複数のブレードに取り付けられたシェード材料と、を含み得る。駆動組立体の動作は、複数のブレードを回転させ、それにより複数のブレードを閉止位置と開放位置との間で移動させ得る。
【０００６】
本開示の実施形態は、建築開口部の被覆を試用するための展示用システムを含み得る。いくつかの実施形態では、展示用システムは、チャンバを画成する格納容器と、チャンバ内に放出可能に固定される展示用ツールと、を含み得る。展示用ツールは、フレーム構造と、フレーム構造に動作可能に接続された駆動組立体と、フレーム構造により回転可能に支持され且つ駆動組立体と動作可能に接続された、複数のブレードと、複数のブレードに取り付けられたシェード材料と、を含み得る。駆動組立体の動作は、複数のブレードを回転させ、それにより複数のブレードを閉止位置と開放位置との間で移動させ得る。
【０００７】
本開示の実施形態は、シェード材料を複数のブレードに取り付けることと、複数のブレードをフレーム構造に取り付けることと、フレーム構造の内側開口部内で複数のブレードを閉止位置から開放位置に回転駆動させるために駆動組立体をフレーム構造および複数のブレードに動作可能に接続することと、により組み立てられ得る展示用ツールを含み得る。
【０００８】
本開示の実施形態は、建築開口部の被覆を試用するための展示用ツールを含み得る。展示用ツールは、フレーム構造と、フレーム構造に動作可能に接続された駆動組立体と、フレーム構造により回転可能に支持され且つ駆動組立体と動作可能に接続された、複数のブレードと、複数のブレードに取り付けられたシェード材料と、を含み得る。いくつかの実施形態では、駆動組立体を動作させると、複数のブレードは閉止位置と開放位置との間で移動され得る。
【０００９】
本開示のこの考案の概要は理解を支援するために提供されたものであり、本開示の様々な態様および特徴のそれぞれは有利に、いくつかの事例では、個別に使用されてもよく、また他の事例では、本開示の他の態様および特徴と組み合わせて用いられてもよいことを、当業者は理解するであろう。したがって、本開示は様々な実施形態に関して提示されているが、あらゆる実施形態の個々の態様が、個別に請求されてもよく、または当該の実施形態のまたはあらゆる他の実施形態の態様および特徴と組み合わせて請求されてもよいことを理解すべきである。特定的な実施形態に関する開示は、単に本質的に代表的であり、請求される本考案、その応用または使用を限定することを意図するものではまったくない。他の実施形態の利用も可能であること、および構造的変更および／または論理的変更が本開示の趣旨および範囲から逸脱することなく可能であること、が理解されるべきである。
【００１０】
本開示は本願における様々なレベルの詳細度で説明され、この考案の概要に要素、成分、またはその他が含まれるか否かにより、請求される考案の主題の範囲が制限されることはまったく意図するところではない。特定的な事例では、実施形態の理解に必ずしも必要ではない詳細は、または、他の詳細の理解の妨げとなる詳細は、省略され得る。さらに明瞭化のために、特定的な特徴に関する詳細な説明については、係る詳細が当業者にとって明らかである場合には、本開示の説明の不明瞭化を避けるために、論じないであろう。請求される考案の主題が、必ずしも本開示で例示される特定的な実施形態または構成には限定されないこと、および本開示の範囲が添付の請求項によってのみ定められること、を理解すべきである。
【００１１】
添付の図面は本明細書に組み込まれ本明細書の一部をなすものであって、単に例示として本開示の実施形態を示し、以下で提供される詳細な説明と組み合わされると、本開示の原則を説明するものである。
【図面の簡単な説明】
【００１２】
【図１】本開示の一実施形態に係る、閉止位置にある建築用被覆展示用ツールの前方等角図である。
【図２】本開示の一実施形態に係る図１の展示用ツールの後方等角図である。
【図３】本開示の一実施形態に係る図１の展示用ツールの前方立面図である。
【図４】本開示の一実施形態に係る、図３の線４−４に沿った図１の展示用ツールの断片的断面図である。
【図５】本開示の一実施形態に係る、開放位置にある建築用被覆展示用ツールの前方等角図である。
【図６】本開示の一実施形態に係る図５の展示用ツールの後方等角図である。
【図７】本開示のいくつかの実施形態に係る図５の展示用ツールの上面図である。
【図８】本開示の一実施形態に係る展示用ツールの構成要素の分解等角図である。
【図９】本開示の一実施形態に係る駆動組立体の構成要素の等角図である。
【図１０】本開示の一実施形態に係る図９の駆動組立体の構成要素の後方立面図である。
【図１１】本開示の一実施形態に係る図９の駆動組立体の構成要素の底面図である。
【図１２】本開示の一実施形態に係るブレードの構成要素の等角図である。
【図１３】本開示の一実施形態に係る図１２のブレードの構成要素の上面図である。
【図１４】本開示の一実施形態に係る下端の等角図である。
【図１５】本開示の一実施形態に係る第１フレームの等角図である。
【図１５Ａ】本開示の一実施形態に係る図１５の詳細線１５Ａ−１５Ａに沿った図１５の第１フレームの拡大された断片的等角図である。
【図１５Ｂ】本開示の一実施形態に係る図１５の詳細線１５Ｂ−１５Ｂに沿った図１５の第１フレームの拡大された断片的等角図である。
【図１５Ｃ】本開示の一実施形態に係る図１５の詳細線１５Ｃ−１５Ｃに沿った図１５の第１フレームの拡大された断片的等角図である。
【図１５Ｄ】本開示の一実施形態に係る図１５の詳細線１５Ｄ−１５Ｄに沿った図１５の第１フレームの拡大された断片的等角図である。
【図１６】本開示の一実施形態に係る図１７の第１フレームの前方立面図である。
【図１７】本開示の一実施形態に係る第２フレームの等角図である。
【図１７Ａ】本開示の一実施形態に係る図１７の詳細線１７Ａ−１７Ａに沿った図１７の第２フレームの拡大された断片的等角図である。
【図１７Ｂ】本開示の一実施形態に係る図１７の詳細線１７Ｂ−１７Ｂに沿った図１７の第１フレームの拡大された断片的等角図である。
【図１８】本開示の一実施形態に係る、図３の線１８−１８に沿った図１の展示用ツールの断面図である。
【図１９】本開示の一実施形態に係る、第２フレームおよびシェード材料が取り外された状態の、図５の展示用ツールの後方等角図である。
【図２０】本開示の一実施形態に係る図１９の展示用ツールの拡大された、断片的立面図である。
【図２１】本開示の一実施形態に係る、図３の線２１−２１に沿った図１の展示用ツールの断面の拡大された部分図である。
【図２２】本開示の一実施形態に係る、図５の線２２−２２に沿った図５の展示用ツールの断面の拡大された部分図である。
【図２３】本開示の一実施形態に係る格納容器内に挿入された図１の展示用ツールの等角図である。
【図２４】本開示の一実施形態に係る、閉止構成にある追加的な展示用ツールの前方等角図である。
【図２５】本開示の一実施形態に係る、開放構成にある図２４の展示用ツールの前方等角図である。
【図２６】本開示の一実施形態に係る図２４の展示用ツールの分解正面図である。
【図２７】本開示の一実施形態に係る図２４の展示用ツールの分解背面図である。
【考案を実施するための形態】
【００１３】
本開示は、全般的には、建築開口部のための被覆を試用するための展示用ツールを提供する。展示用ツールは、販売業者または顧客が建築開口部（例えば窓など）の近傍に被覆を永久的に設置することなく、建築開口部の近傍における被覆見本の閲覧および動作を可能にする。展示用ツールは、顧客が、見本の配向角および材料に基づいて、被覆の全般的な動作、外観、透光性、テクスチャ、または他の品質を評価するために、建築開口部の付近において被覆見本を配置および動作することを可能にする。展示用ツールは全般に、全般的な経験を改善し、顧客が顧客自身の環境において被覆の特性を試用することを可能にする。
【００１４】
図１〜図７Ｂを参照すると、建築開口部のための被覆を試用するための展示用ツール２が提供されている。展示用ツール２は、フレーム構造４と、フレーム構造４に動作可能に接続された駆動組立体６と、フレーム構造４により回転可能に支持され且つ駆動組立体６に動作可能に接続された、複数のブレード８と、ブレード８に取り付けられたシェード材料１０と、を含み得る。いくつかの実施形態では、駆動組立体６の少なくとも１部分は実質的に剛性であり得る。フレーム構造４は、運搬可能であり、形状が実質的に直方体であり得、幅Ｗおよび高さＨ（両方が深さＤよりも大きい）を有する。いくつかの実施形態では、展示用ツール２が関連付けられた被覆の縮小版を見本として表示するものとみなされ得るよう、フレーム構造４は通常の建築開口部の寸法よりも小さい寸法を含み得る。例えば、フレーム構造４の高さＨおよび幅Ｗの両方は、シェード材料１０が配置されるであろう最小の建築開口部の高さＨおよび幅Ｗよりも小さいものとなり得る。シェード材料１０は対応する実サイズのシェードにおいて用いられるものと同一の材料（例えば生地）を含み得、シェード材料１０の要素は実質的に同一の方法で動作し得る。一方、展示用ツール２は、シェード材料１０の容易な輸送および展示が可能となるよう、縮小化されている。そのため展示用ツール２は、異なる現場でシェード材料１０を試用するために、様々な立地または場所に輸送され得る。このようにして展示用ツール２は、対応する実サイズのシェードを建築開口部内に設置することなく、実サイズのシェードの機能的（例えば動作に関する）特性および／または審美的（例えば概観、透光性、テクスチャ、その他に関する）特性をユーザまたは顧客に対して実際に示し得る。
【００１５】
フレーム構造４は複数のハンドルを含み得る。各ハンドルは、フレーム構造４の長手方向縁部の近傍に位置し、一体構造としてフレーム構造４とともに形成される。いくつかの実施形態では、フレーム構造４は、フレーム構造４の第１長手方向側縁部１４の近傍における第１側面ハンドル１２と、フレーム構造４の第２長手方向側縁部１８の近傍における第２側面ハンドル１６と、フレーム構造４の上部長手方向縁部２２の近傍における上部ハンドル２０と、を含む。側面ハンドル１２は、フレーム構造４の第１端部壁２８と同一平面状となるよう第１平坦表面２４を、側面ハンドル１６は、フレーム構造４の第２端部壁３０と同一平面状となるよう第２平坦表面２６を、画成し得、その一方で、上部ハンドル２０は、フレーム構造４の端部壁３２から一定距離だけ略外向きに突出し得る。このようにしてフレーム構造４は第１端部壁２８上にまたは第２端部壁３０上に支持され得る。第１端部壁２８は第１端部壁２８に画成された第１側面ハンドル１２を、第２端部壁３０は第２端部壁３０に画成された第２側面ハンドル１６を、有する。
【００１６】
側面ハンドル１２は第１端部壁２８上の中心に、側面ハンドル１６は第２端部壁３０上の中心に、配置され得る。フレーム構造４により画成される外側外皮を侵害することなく、ユーザが側面ハンドル１２および１６のまわりに指を配置し、側面ハンドル１２および１６を把持するための空間を提供するために、側面ハンドル１２の深さＤ１は第１端部壁２８の深さＤ２よりも小さい値となり、側面ハンドル１６の深さＤ１は第２端部壁３０の深さＤ２よりも小さい値となり得る。側面ハンドル１２および１６は側面ハンドル１２および１６を強化するために補強リブ３１を含み得る。いくつかの実施形態では、側面ハンドル１２および１６は、補強リブ３１から外向きに延長する丸みを帯びたフランジまたはリップ部を含み、これらのフランジは少なくとも部分的に第１平坦表面２４および第２平坦表面２６を画成する。以下でより詳細に説明するように、側面ハンドル１２および１６の構成は格納容器から展示用ツール２を取り外すことを支援し得る。いくつかの実施形態では、端部壁２８、３０、および３２の前方表面および後方表面が格納容器の内側表面に当接し、それにより格納容器の全体的サイズが最小化される状態で、格納容器は展示用ツール２をぴったりと受容するような寸法を有する。図示のように、例えば図８では、フレーム構造４は第１フレーム３４および第２フレーム３６を含み得る。第１フレーム３４および第２フレーム３６は、フレーム構造４を長手方向に両断する分離線３８において接続される。第１フレーム３４および第２フレーム３６は、機械的締結具、対応する保留機能、接着剤、熱溶接もしくは音波溶接、または任意の他の好適な取付手段により、一緒に接続され得る。
【００１７】
図１〜図６を参照すると、フレーム構造４は、各ブレード８の１部分およびシェード材料１０の１部分の両方を受容するよう構成された内側開口部４０を含み得る。以下でより詳細に説明されるように、複数のブレード８は、開放位置および閉止位置においてシェード材料１０を展示するために、内側開口部４０内で移動可能であり得る。例えば駆動組立体６の動作は、ブレード８を内側開口部４０内で、閉止位置（図１〜図３参照）から開放位置（図５〜図７参照）に回転駆動し得る。下端部材４２は、内側開口部４０内に、且つフレーム構造４の第１内側長手方向縁部４４および第２内側長手方向縁部４４の近傍に、配置され得る。下端部材４２はそれぞれ、フレーム構造４の第１内側長手方向縁部４４および第２内側長手方向縁部４４と、近傍のブレード８と、の間の空間を実質的に十分に充填する外部寸法を有し得る。このようにして建築開口部内の被覆をより良好にシミュレートするために、光はシェード材料１０のみを通過し得る。下端部材４２は少なくとも部分的に第１フレーム３４と、第２フレーム３６と、の間に配置され得、対応する保留機能を通して実質的に分離線３８において第１フレーム３４または第２フレーム３６のうちの一方に取り付けられ得る。例えば、特に図１４および図１５を参照すると、下端部材４２は、長手方向縁部（単数または複数。例えば上縁部および／または側縁部）の近傍に間欠的に離間された複数の開口部４６を含み得る。複数の対応する突起物４８が第１フレーム３４または第２フレーム３６の一方から外向きに延長し得る。複数の突起物４８を複数の開口部４６内に受容することにより、下端部材４２は第１フレーム３４に取り付けられ得、第１フレーム３４に対する下端部材４２の平行移動は２次元に限定され得る。第２フレーム３６が第１フレーム３４に取り付けられることにより、下端部材４２の平行移動は３次元に限定され得る。以下でより詳細に説明されるように、下端部材４２は、動作の間、ブレード８の回転駆動を制限し得、展示用ツール２の閉止位置を画定することを支援し得る。
【００１８】
引き続き図１〜図６を参照すると、複数のブレード８の回転がシェード材料１０を閉止位置と開放位置との間で移動させるよう、シェード材料１０はこれらのブレード８に取り付けられ得る。図４〜図７Ｂに示されるように、シェード材料１０はブレード８のうちの各ブレードの周りに巻き付けられ得る。いくつかの実施形態では、シェード材料１０は、複数のブレード８のうちの各ブレードの周りをループして、複数のブレード８のうちの各ブレードを接続する、材料の連続的なシートであり得る。いくつかの実施形態では、シェード材料１０はブレード８の周りに巻き付くのではなく、それに代わって、各ブレード８の長手方向縁部（例えば第１縁部５０など）のみに取り付けられ得る。図４と図７とを比較することにより見られ得るように、閉止位置では、シェード材料１０は少なくとも部分的に重なり合い、それにより複数の垂直方向に配置され且つ水平方向に離間された、材料５２のループ（各ループは実質的に涙珠状の断面を有する）が形成され得る。開放位置では、材料５２のループのうちの各ループは、横切る方向に拡張し、それにより実質的にＣ字形状の断面が形成され得る。本開示では垂直方向に配置された材料５２のループを参照して説明されてはいるが、展示用ツール２は、シェード材料が下向きに垂れ下がり、それにより複数の水平方向に配置され且つ垂直方向に離間され、上述の特性を有する、材料のループが形成されるよう、構成されてもよい。
【００１９】
図４〜図７を参照すると、閉止位置では、ブレード８のうちの少なくとも１つのブレードの第１縁部５０は、隣接するブレード８の第２長手方向縁部５４の近傍にあるか、または第２長手方向縁部５４と重なり合い得る。図７でもっともよく見られるように、開放位置では、第１縁部５０はフレーム構造４の第１端部壁５６から第１距離だけ延長し得、第２縁部５４は第１端部壁５６の逆側にあるフレーム構造４の第２端部壁５８から第２距離だけ延長し得る。いくつかの実施形態では、第２距離は第１距離よりも大きい値となり得る。開放位置では、複数のブレード８は第１端部壁５６および第２端部壁５８に対して実質的に垂直に延長し得、その一方、閉止位置では、複数のブレード８は第１端部壁５６および第２端部壁５８に対して実質的に平行に延長し得る。追加的または代替的に、第２シェード材料（図示せず）が各ブレード８の第２縁部５４から延長し得る。例えば、被覆製品をより良好にシミュレートするために、ローマン・シェードは第１縁部５０から延長し得、その一方、一般的な平坦な背面シートは第２縁部５４から延長し得る。ローマン・シェードが参照されているが、あらゆる種類のシェードがブレード８に取り付けられるよう、同様に構成され得る。
【００２０】
シェード材料１０は、実質的に任意種類の材料から構築され得る。例えばシェード材料１０は、織地、ポリマー、および／または、他の好適な材料を含む、天然材料および／または合成材料から構築され得る。織地材料は、織布、不織布、編み地、または他の好適な織地種類であり得る。シェード材料１０は任意の好適なレベルの光透過率を有し得る。例えばシェード材料１０は、関連付けられた室内で所望の雰囲気または装飾様式を提供するために、透明性、透光性、および／または不透明性を有する材料から構築され得る。いくつかの実施形態では、シェード材料１０の１部分は、光透過率がゼロである１枚の材料（しばしば遮光材料と呼ばれる）から作られ得る。シェード材料１０は、単層の材料を、または一緒に接続された複数層の材料を、含み得る。シェード材料１０は高レベルのドレープ（より柔らかい）を、または低レベルのドレープ（より固い）を、有し得る。これらは適切なシェード形状を得るために選択され得る。
【００２１】
図８〜図１１を参照すると、展示用ツール２は駆動組立体６を含み得る。駆動組立体６は、ユーザがシェード材料１０の配向角および特性に基づいて被覆見本の品質を評価することを可能にするために、閉止位置から開放位置にシェード材料１０を選択的に移動させるよう、フレーム構造４に動作可能に接続される。いくつかの実施形態では、駆動組立体６は、駆動スプロケット６２を有する回転可能なクランク部材６０と、各ブレード８に取り付けられたピニオン・ギア６４と、フレーム構造４の長手方向長さに沿って移動可能であり且つ駆動スプロケット６２およびピニオン・ギア６４のうちのそれぞれに動作可能に接続（例えば嵌合ギア／スプロケット係合を通して）された第１ラック部材６６Ａと、を含み得る。開放位置では、第１ラック部材６６Ａは実質的に各ブレード８のピニオン・ギア６４と第１長手方向縁部５０との間に配置され得る。以下でより完全に詳細に理解されるように、駆動組立体６が作動されるとクランク部材６０が回転され、その結果、第１ラック部材６６Ａがフレーム構造４の長手方向長さに沿って移動され、ピニオン・ギア６４のうちの各ピニオン・ギアが回転され、ブレード８のうちの各ブレードがフレーム構造４の内側開口部４０内で回転駆動され得る。例えばクランク部材６０が第１回転方向（例えば図１１において時計方向）に回転すると駆動スプロケット６２は第１回転方向に回転し、その結果、第１ラック部材６６Ａは第１方向（例えば駆動スプロケット６２に向かう方向）に移動される。第１ラック部材６６Ａが第１方向に移動すると、各ピニオン・ギア６４および関連付けられたブレード８は第１回転方向に回転し得る。同様にして、クランク部材６０が第２回転方向（例えば図１１において反時計方向）に回転すると駆動スプロケット６２は第２回転方向に回転し、その結果、第１ラック部材６６Ａは第２方向（例えば駆動スプロケット６２から離間する方向）に移動され、各ピニオン・ギア６４および関連付けられたブレード８は第２回転方向に回転され得る。図８に示されるように、駆動組立体６は実質的に第１フレーム３４と第２フレーム３６との間に配置され得る。駆動組立体６を動作させるために、クランク部材６０は、フレーム構造４の側面上に搭載された作動要素６７（例えばクランク・ハンドル６８）を含み得る。一実施形態では、作動要素６７はフレーム構造４の外部に配置され得る。いくつかの実施形態では、作動要素６７（例えばクランク・ハンドル６８）はユーザの手により係合されるよう構成され得る。例えばクランク・ハンドル６８は、ユーザの指に対して十分なグリップを提供するために、ローレット加工された外側表面を含み得る。いくつかの実施形態では、駆動組立体６は複数のラック部材６６を含み得る。これらのラック部材６６のうちの各ラック部材は、ブレード８の対向する端部の近傍に配置され、第１ラック部材６６Ａと同様の構成を有する。係る実施形態では、各ブレード８は、複数のラック部材６６に動作可能に接続された複数のピニオン・ギア６４を含み得る。
【００２２】
図９〜図１３を参照すると、各ブレード８は、本体７０と、本体７０の長手方向長さに沿って本体７０の一方の端部から外向きに延長する少なくとも１つのボス７２と、少なくとも１つのボス７２に取り付けられ且つ少なくとも１つのボス７２の直径よりも大きい直径を有する、カラー７４と、を含み得る。ピニオン・ギア６４は、実質的にカラー７４と、ボス７２の端部と、の間において、少なくとも１つのボス７２に取り付けられ（例えば回転可能に搭載され）得る。いくつかの実施形態では、本体７０は、平行四辺形（例えば、ブレード８が閉止位置にあるときにフレーム構造４の内側開口部４０を実質的に充填する長さおよび幅を有する長方形など）であり得る。図１０で示されるように、本体７０は、ボス７２の直径よりも小さい肉厚を有し得る。図１１および図１３を参照すると、本体７０は、実質的に対称的なエーロフォイルまたは翼形状の断面を有し得る。シェード材料１０は各ブレード８の本体７０に取り付けられ得る。図示のように、本体７０は、各ブレード８を軽量化するために、本体７０に画成された複数の開口部７６を含み得る。
【００２３】
いくつかの実施形態では、第１ボス７２Ａおよび第２ボス７２Ｂは、本体７０の長手方向中心線から偏心した本体７０の対向する端部から、外向きに延長し得る。例えば図１３で示されるように、第１ボス７２Ａおよび第２ボス７２Ｂは、本体７０の長手方向中心線と、ブレード８の第１長手方向縁部５０と、の間の実質的な中間点において、本体７０の端部から外向きに延長する。係る実施形態では、第１ボス７２Ａおよび第２ボス７２Ｂと、第１長手方向縁部５０と、の間の距離は、第１ボス７２Ａおよび第２ボス７２Ｂと、第２長手方向縁部５４と、の間の距離よりも小さい。第１ボス７２Ａおよび第２ボス７２Ｂは実質的に同等であるものとして図示されてはいるが、第１ボス７２Ａおよび第２ボス７２Ｂが異なる寸法を有してもよい。
【００２４】
図９、図１５〜図１５Ｃ、および図１６〜図１８を参照すると、第１ラック部材６６Ａ、ブレード８、およびフレーム構造４は、ブレード８および駆動組立体６をフレーム構造４内に移動可能に配置するための位置合わせ機能を有し得る。図１５〜図１５Ａ、および図１６〜図１７Ｂを参照すると、例えば第１ベアリング構造７８および第２ベアリング構造８０内に第１ボス７２Ａを回転可能に受容することにより、ブレード８のうちの各ブレードを対応して回転可能に支持するために、第１フレーム３４は第１ベアリング構造７８を、第２フレーム３６は第２ベアリング構造８０を、含み得る。図１５〜図１５Ａを参照すると、第１ベアリング構造７８は第１フレーム３４の内側表面８２から第２フレーム３６に向かって外向きに延長し得る。いくつかの実施形態では、第１ベアリング構造７８は壁部８４を含み得る。壁部８４は第１ボス７２Ａの長手方向軸に対して略横切る方向に延長し、壁部８４の頂部分に画成された切抜部８６を有する。切抜部８６は、壁部８４の上部表面から遠ざかるにつれて内向きにテーパし得、壁部８４の底部に画成された半円筒形のベアリング表面８８を有する。ベアリング表面８８は、第１ボス７２Ａの外径と実質的に合致するサイズを有する。１対のフランジ９０は、壁部８４の外側表面９２に対して実質的に垂直に、フレーム構造４の内側開口部４０から離間する方向に、延長し得る。図示のように、切抜部８６は１対のフランジ９０間に配置され得る。
【００２５】
図１７および図１７Ａを参照すると、第２ベアリング構造８０は第２フレーム３６の内側表面９４から第１フレーム３４に向かって外向きに延長し得る。第２ベアリング構造８０は壁部９６を含み得る。壁部９６は第１ボス７２Ａの長手方向軸に対して略横切る方向に延長し、第２フレーム３６の内側表面９４から遠ざかるにつれて内向きにテーパする。壁部９６のテーパは切抜部８６の内向きテーパと略合致し得る。第２ベアリング構造８０の上部表面は、第１ボス７２Ａの外径と実質的に合致するサイズを有する半円筒形ベアリング表面９８を画成し得る。第２ベアリング構造８０はフランジ１００を含み得る。フランジ１００は壁部９６の外側表面１０２に対して垂直に、且つフレーム構造４の内側開口部４０から離間する方向に、延長する。
【００２６】
図１８を参照すると、第１フレーム３４が第２フレーム３６に接続されると第２ベアリング構造８０が第１ベアリング構造７８の切抜部８６内に受容され、その結果、ブレード８は第１フレーム３４と第２フレーム３６との間で回転可能に支持される。例えば、第１ベアリング構造７８の半円筒形ベアリング表面８８および第２ベアリング構造８０の半円筒形ベアリング表面９８は協働して第１ボス７２Ａを実質的に包囲して、各ブレード８の第１端部１０４を回転可能に支持し得る。図１５、図１７、および図１７Ｂを参照すると、第１フレーム３４および第２フレーム３６のそれぞれは、各ブレード８の第２端部１０８をフレーム構造４内で回転可能に支持するために、第３ベアリング構造１０６を含み得る。第３ベアリング構造１０６は、第２ボス７２Ｂの直径に実質的に合致するサイズを有する対応する半円筒形ベアリング表面１１０を含み得る。第１フレーム３４が第２フレーム３６に接続されると、第３ベアリング構造１０６の対応するベアリング表面１１０が第２ボス７２Ｂを実質的に包囲し、その結果、ブレード８の第２端部１０８は回転可能に支持され得る。
【００２７】
図１５、図１５Ｂ、および図１７を参照すると、第１フレーム３４および第２フレーム３６のそれぞれは、少なくとも１つの第４ベアリング構造１１２を含み得る。第４ベアリング構造１１２は、クランク部材６０をフレーム構造４内に回転可能に支持するためのベアリング表面１１４を有し得る。例えばベアリング表面１１４は、クランク部材６０の直径と実質的に合致するサイズを有する、対応する半円筒形表面を有し得る。第１フレーム３４が第２フレーム３６に接続されると、第１フレーム３４および第２フレーム３６の対応するベアリング表面１１４がクランク部材６０を実質的に包囲し、その結果、クランク部材６０は回転可能に支持され得る。動作中、クランク部材６０は、第１フレーム３４および第２フレーム３６のベアリング表面１１４のうちの各ベアリング表面を回転して押圧し得る。
【００２８】
図１５、図１５Ａ、図１６、および図１７〜１７Ｂを参照すると、第１フレーム３４および第２フレーム３６のそれぞれは、各ブレード８を内側開口部４０内で長手方向に配置するために、位置合わせスロット１１６をフレーム構造４の内側開口部４０の近傍に含み得る。例えば、位置合わせスロット１１６は、フレーム構造４の内側開口部４０内におけるブレード８の回転運動を可能にする一方で、同時に、ブレード８のカラー７４を受容し、フレーム構造４に対するブレード８の平面運動を低減または制御するよう、構成され得る。いくつかの実施形態では、カラー７４は、ブレード８を回転可能に支持するために、位置合わせスロット１１６に回転可能に押圧し得る。位置合わせスロット１１６は、第１ベアリング構造７８のベアリング表面８８と同軸上に位置合わせされ、ベアリング表面８８よりも内側に配置され得る。いくつかの実施形態では、フレーム構造４の内側開口部４０にわたり直径に沿って互いに反対側に配置される１対の位置合わせスロット１１６は、ブレード８を内側開口部４０内で長手方向に配置し得る。フレーム構造４は、複数のブレード８のうちの各ブレードに対して、１対の対向する位置合わせスロット１１６を含み得る。
【００２９】
図１５および図１６に示されるように、第１フレーム３４は少なくとも１本のレール１１８を含み得る。レール１１８は、第１フレーム３４の長手方向長さに沿って第１フレーム３４の内側表面８２から第２フレーム３６に向かって外向きに、且つ第１フレーム３４の第１壁部１２０に対して実質的に垂直に、延長する。いくつかの実施形態では、レール１１８は、第１壁部１２０から、第１壁部１２０の逆側にある第２壁部１２２に向かってある距離だけ内向きに延長し得る。図９を参照すると、第１ラック部材６６Ａはスロット１２４を含み得る。スロット１２４は第１ラック部材６６Ａの長手方向長さに沿って延長し、レール１１８をスロット１２４内に受容するサイズを有する。いくつかの実施形態では、レール１１８をスロット１２４内に受容することにより、第１ラック部材６６Ａはフレーム構造４内で長手方向に位置合わせされ得る。第１ラック部材６６Ａは、少なくとも部分的に複数の第１ベアリング構造７８および位置合わせスロット１１６の近傍の内側壁部１２８により第１フレーム３４内に実質的に画成されるチャネル１２６内に受容され得る。例えば、第１ラック部材６６Ａは、内側壁部１２８と、第１ベアリング構造７８の壁部８４の内側表面１３０と、の両方を摺動可能に当接し得る。図１５Ｃを参照すると、第１フレーム３４は少なくとも１つの当接壁部１３２を含み得る。当接壁部１３２は第１フレーム３４の内側表面８２から第２フレーム３６に向かって外向きに延長し、第２壁部１２２により近い位置に配置される。以下でより詳細に説明されるように、当接壁部１３２は、チャネル１２６内における第１壁部１２０から離間する長手方向における第１ラック部材６６Ａの移動を制限し得る。
【００３０】
図１９〜図２２を参照すると、ユーザが駆動組立体６を作動させると、展示用ツール２は開放位置と閉止位置との間で移行し得る。展示用ツール２を閉止するにあたっては、クランク部材６０は、例えばユーザによるクランク・ハンドル６８の回転を通して、第１回転方向に回転され得る。クランク部材６０と、対応する駆動スプロケット６２と、が第１回転方向に回転するにつれて、第１ラック部材６６Ａはチャネル１２６内で第１方向（すなわち駆動スプロケット６２に向かう方向）に平行移動する。第１ラック部材６６Ａが第１方向に平行移動すると、複数のブレード８のうちの各ブレードは、ピニオン・ギア６４がラック部材６６と嵌合係合することにより、第１回転方向に回転する。クランク部材６０は、複数のブレード８のうちの１つのブレードの第２縁部５４が近傍のブレード８の第１縁部５０に当接するかまたは第１縁部５０に近接するまで、第１回転方向の回転を継続し得る。いくつかの実施形態では、駆動組立体６の作動は、ブレード８の第１縁部５０および／または第２縁部５４が下端部材４２に接触することにより、制限され得る。図２１で示されるように、いくつかの実施形態では、第１ラック部材６６Ａの第１端部１３４が第１フレーム３４の第１壁部１２０に接触し、それにより第１位置（例えば閉止位置など）が画成されるよう、第１ラック部材６６Ａは構成され得る。
【００３１】
展示用ツール２の開放は、所望により、上述の逆順で達成される。これにより、ユーザは、シェード材料１０を、完全な閉止位置に、完全な開放位置に、またはこれらの位置間の任意の位置に、置くかどうかを選択することが可能となる。展示用ツール２を開放するにあたっては、クランク部材６０を第２回転方向に回転させるためにユーザが駆動組立体６を作動させるとよい。クランク部材６０と、対応する駆動スプロケット６２と、が第２回転方向に回転するにつれて、第１ラック部材６６Ａはチャネル１２６内で第２方向（すなわち駆動スプロケット６２から離間する方向）に平行移動する。第１ラック部材６６Ａが第２方向に平行移動すると、複数のブレード８のうちの各ブレードは第２回転方向に回転し、それにより展示用ツール２が実質的に開放される。いくつかの実施形態では、第１端部１３４の逆側にある第１ラック部材６６Ａの第２端部１３６が第１フレーム３４の当接壁部１３２と接触すると、第２方向における第１ラック部材６６Ａの移動が制限され、第２位置（例えば開放位置など）が画成され得る。
【００３２】
図２４〜図２７では、建築開口部のための縮小版の被覆（例えばシェード材料２１０など。図２４および図２５参照）を試用するための展示用ツール２０２の追加的な実施形態が図示されている。上記で論じられた展示用ツール２のように、展示用ツール２０２は、異なる現場においてシェード材料２１０を試用するために、様々な立地または場所に輸送され得る。一般に展示用ツール２０２は、展示用ツール２および展示用ツール２の上述の関連する説明と同様であり、したがって特定的な事例では、同様の特徴に関しては、上記の説明および図２４〜図２７に照らして当業者にとって明らかである場合には、説明しない。参照の容易化を図るために、同様の構造は適切にインクリメントされた参照番号を用いて表現される。
【００３３】
図２４〜図２５を参照すると、上述の展示用ツール２と同様に、展示用ツール２０２は、運搬可能な、直方体のフレーム構造２０４を含み得る。フレーム構造２０４は、一緒に接続された第１フレーム２３４および第２フレーム２３６を含む。図示のように第１フレーム２３４および第２フレーム２３６は分離線２３８において一緒に接続され得る。いくつかの実施形態では、分離線２３８はフレーム構造２０４を長手方向に両断し得る。いくつかの実施形態では、第１フレーム２３４および第２フレーム２３６のうちの一方のフレームは、少なくとも部分的に第１フレーム２３４および第２フレーム２３６のうちの他方のフレーム内に受容され、それによりフレーム構造２０４が画成され得る。係る実施形態では、第１フレーム２３４および第２フレーム２３６のうちの一方のフレームは、２つのフレーム２３４および２３６が一緒に接続されたときには第１フレーム２３４および第２フレーム２３６のうちの一方のフレームの後方表面が第１フレーム２３４および第２フレーム２３６のうちの他方のフレームの最外部部分と実質的に同一平面状となるような、肉厚を含み得る。ひとたび一緒に接続されると、第１フレーム２３４および第２フレーム２３６は、幅Ｗおよび高さＨを有するフレーム構造２０４を画成し得る。なお幅Ｗおよび高さＨの両方は深さＤよりも大きい（図２４参照）。
【００３４】
いくつかの実施形態では、展示用ツール２０２が、関連付けられた被覆の縮小版を見本として表示するものとみなされ得るよう、フレーム構造２０４は通常の建築開口部の寸法よりも小さい寸法を含み得る。例えば、フレーム構造２０４の高さＨおよび幅Ｗの両方は、シェード材料２１０が配置されるであろう最小の建築開口部の高さＨおよび幅Ｗよりも小さいものとなり得る。シェード材料２１０は対応する実サイズのシェードにおいて用いられるものと同一の材料（例えば生地）を含み得、シェード材料２１０の要素は、実質的に同一の方法で動作し得る。一方、展示用ツール２０２は、シェード材料２１０の容易な輸送および展示が可能となるよう、縮小化されている。このようにして展示用ツール２０２は、対応する実サイズのシェードを建築開口部内に設置することなく、実サイズのシェードの機能的（例えば動作に関する）特性および／または審美的（例えば概観、透光性、テクスチャ、その他に関する）特性をユーザまたは顧客に対して実際に示し得る。
【００３５】
図２６および図２７を参照すると、第１フレーム２３４および第２フレーム２３６は、フレーム構造２０４の内部における複数の接続機構３５０を介して一緒に接続され得る。一実施形態では、接続機構３５０のうちの各接続機構は、対応する第１環状円筒３５２および第２環状円筒３５４を含み得る。第１環状円筒３５２および第２環状円筒３５４は、互いに係合する（例えば干渉嵌合を通して）ようなサイズおよび形状を有する。例えば図２６でもっともよく見られるように、第１環状円筒３５２は第１環状円筒３５２の内側表面３５８により画成されたボア３５６を含み得る。内側表面３５８は第１環状円筒３５２の内径ＤＩを画成する。第２環状円筒３５４（いくつかの実施形態では単に直円柱であり得る）は、第２環状円筒３５４の外径ＤＯを画成する外側表面３６０を含み得る。第２環状円筒３５４の外径ＤＯは第１環状円筒３５２の内径ＤＩよりも小さい値であり得る。このようにして第２環状円筒３５４の外径ＤＯは、第２環状円筒３５４が少なくとも部分的に第１環状円筒３５２のボア３５６内に挿入され得るような寸法であり得る。係る実施形態では、第１環状円筒３５２および第２環状円筒３５４は（例えば、第１環状円筒３５２の内側表面３５８と、第２環状円筒３５４の外側表面３６０と、の間の摩擦係合を通して）互いに干渉嵌合され得る。第１環状円筒３５２および第２環状円筒３５４は、第１環状円筒３５２の内側表面３５８と、第２環状円筒３５４の外側表面３６０と、の間の摩擦係合を支援するために、対応する断面形状を有し得る。例えば、第１環状円筒３５２および第２環状円筒３５４の各環状円筒は、実質的に円形の断面を含んでもよく、または非円形の断面（例えば、長方形、多角形、楕円形、その他）を含んでもよい。接続機構３５０を介して一緒に接続されるものとして図示および説明されてはいるが、追加的または代替的に、第１フレーム２３４および第２フレーム２３６は、機械的締結具、接着剤、熱溶接もしくは音波溶接、またはその他を含むがこれらに限定されない任意の好適な接続機構を介して、一緒に接続され得る。
【００３６】
引き続き図２６および図２７を参照すると、第１環状円筒３５２および第２環状円筒３５４は第１フレーム２３４または第２フレーム２３６と関連付けられ得る。例えば図２７で示されているように、第１フレーム２３４は少なくとも１つの第１環状円筒３５２および少なくとも１つの第２環状円筒３５４を含み得る。第１環状円筒３５２および第２環状円筒３５４は第１フレーム２３４の内側表面３６２から第２フレーム２３６に向かって延長する。同様に図２６で示されているように、第２フレーム２３６は少なくとも１つの第１環状円筒３５２および少なくとも１つの第２環状円筒３５４を含み得る。第１環状円筒３５２および第２環状円筒３５４は第２フレーム２３６の内側表面３６４から第１フレーム２３４に向かって延長する。係る実施形態では、上記で説明したように、第２フレーム２３６の第１環状円筒（単数または複数）３５２は第１フレーム２３４の第２環状円筒（単数または複数）３５４と係合し得、第２フレーム２３６の第２環状円筒（単数または複数）３５４は第１フレーム２３４の第１環状円筒（単数または複数）３５２と係合し得る。代替的にいくつかの実施形態では、第１フレーム２３４は第１環状円筒３５２および第２環状円筒３５４のうちの一方の種類のみを含み、第２フレーム２３６は第１環状円筒３５２および第２環状円筒３５４のうちの他方の種類を含み、それにより、第１フレーム２３４および第２フレーム２３６が一緒に固定され得る。
【００３７】
図２４〜図２７を参照すると、フレーム構造２０４は内側開口部２４０を含み得る。内側開口部２４０は少なくとも第１フレーム２３４内に画成され、シェード材料２１０の少なくとも１部分を内側開口部２４０内に受容するよう構成される。図２５に図示されているように、シェード材料２１０は支持シート３８０と、少なくとも部分的に支持シート３８０の正面３８４に接続された複数の羽根３８２と、を含み得る。各羽根３８２は、羽根３８２の対向する長手方向縁部に沿って延長する第１縁部部分３８６および第２縁部部分３８８を含み得る。第１縁部部分３８６は支持シート３８０の正面３８４と連結（例えば接着剤、両面テープ、裁縫、紡織、または他の好適な取付手段を通して）され得る。第２縁部部分３８８は支持シート３８０の正面３８４に沿って第１縁部部分３８６に対して移動し、羽根３８２の開閉を行うことが可能であり得る。閉止位置では、羽根３８２は支持シート３８０に対して略平行に延長し得る（図２４参照）。開放位置では、各羽根３８２の第２縁部部分３８８は各羽根３８２の第１縁部部分３８６に向かって移動し、その結果、断面において湾曲した（例えば実質的にＣ字形状）セル３９０が形成される（図２５参照）。支持シート３８０（実質的に薄い、透明、および／または透光性の生地から作られ得る）の範囲は内側開口部２４０に及び得る。支持シート３８０は、例えば接着剤、両面テープ、締結具、または、内側開口部２４０にわたって実質的に教示された状態に支持シート３８０を保持するよう作用する他の好適な取付手段などを通して、分離線２３８の近傍において、第１フレーム２３４および第２フレーム２３６のうちの少なくとも一方のフレームに取り付けられ得る。
【００３８】
図２６および図２７を参照すると、シェード材料２１０を開放位置と閉止位置との間で移動させるために、展示用ツール２０２は駆動組立体２０６を含み得る。上述の駆動組立体６のように、駆動組立体２０６は、作動要素または機構を手動で移動させることにより、シェード材料２１０を開放位置と閉止位置との間で移動させ得る。例えば、限定なしに、駆動組立体２０６はフレーム構造２０４に摺動可能に連結されたパネル挿入体３９２を含み得る。図示のようにパネル挿入体３９２（実質的に剛性であり得る）は、少なくとも部分的に第１フレーム２３４と第２フレーム２３６との間に配置され得る。一実施形態では、パネル挿入体３９２は、第１レール３９４、第２レール３９６、および第１レール３９４と第２レール３９６との間で横切るように延長する複数の桟３９８を含み得る。展示用ツール２０２が組み立てられた状態にあるとき、第１レール３９４および第２レール３９６は第１フレーム２３４と第２フレーム２３６との間に配置され得る。一実施形態では、桟３９８が展示用ツール２０２の内側開口部２４０を横切って延長する状態で、第１レール３９４および第２レール３９６は、第１フレーム２３４の内側表面３６２および第２フレーム２３６の内側表面３６４と、摺動可能に係合し得る。第１レール３９４および第２レール３９６と、第１フレーム２３４の内側表面３６２および第２フレーム２３６の内側表面３６４と、の間の摺動係合を支援するために、展示用ツール２０２は複数のブッシング４００を含み得る。一実施形態では、ブッシング４００は、第１レール３９４および第２レール３９６と、内側表面３６２および３６４と、の間に配置され得る。図２６および図２７で示されるように、パネル挿入体３９２がフレーム構造２０４に対して動く際にブッシング４００が第１フレーム２３４の内側表面３６２および第２フレーム２３６の内側表面３６４と当接して摺動するよう、ブッシング４００は第１レール３９４および第２レール３９６と関連付けられ得る。いくつかの実施形態では、ブッシング４００はパネル挿入体３９２とフレーム構造２０４との間の相対的位置を保持するよう作用し得る。例えば、ブッシング４００は、パネル挿入体３９２がフレーム構造２０４に対して摺動運動することを支援し得るが、ブッシング４００は、ユーザにより提供される外力が存在しないときにもパネル挿入体３９２とフレーム構造２０４との間の相対的運動を制限するための十分な摩擦を提供し得る。
【００３９】
パネル挿入体３９２がフレーム構造２０４に対して摺動運動することをさらに支援するために、少なくとも第１レール３９４は、第１フレーム２３４の内側表面３６２および第２フレーム２３６の内側表面３６４から延長する複数の平行なトラック部材４１２により集合的に画成されるチャネル３２６内で受容され得る。第１レール３９４がそれに沿って移動する実質的な線形経路をチャネル３２６が画成するよう、チャネル３２６のサイズおよび形状は第１レール３９４のサイズおよび形状に対応し得る。係る実施形態では、チャネル３２６は、フレーム構造２０４に対するパネル挿入体３９２の回転運動を制限するよう作用し得る。図２６を参照すると、作動要素２６７（例えばスライダ４１４など）がフレーム構造２０４の側面上に搭載され得る。例えば、シェード材料２１０を開放位置と閉止位置との間で移動させるためにユーザがパネル挿入体３９２をフレーム構造２０４内で摺動させることができるよう、作動要素２６７はパネル挿入体３９２の第１レール３９４上に配置され得る。いくつかの実施形態では、作動要素２６７（例えばスライダ４１４）はユーザの手により係合されるよう構成され得る。図示のように、スライダ４１４は、ユーザの指に対して十分なグリップを提供するよう作用する外側表面４１６を含み得る。係る実施形態では、少なくとも第１フレーム２３４はスライダ開口部４１８を含み得る。スライダ開口部４１８が存在することにより、ユーザは、展示用ツール２０２が組み立てられた後に、スライダ４１４に対してアクセスすることが可能となる。スライダ開口部４１８については第１フレーム２３４を参照して説明されてはいるが、追加的にまたは代替的に、第２フレーム２３６は、スライダ４１４と逆側の第１レール３９４上に配置された第２スライダ４２２を受容するための第２スライダ開口部４２０を含み得る（図２７参照）。展示用ツール２０２についてはスライダ４１４を参照して図示および説明されてはいるが、パネル挿入体３９２が上述のクランク・ハンドル６８と同様にサムホイールにより動作され得ることも考えられる。同様に、上述の展示用ツール２も、ここで論じられるスライダ４１４と同様のスライダ機構により動作され得ることが考えられる。
【００４０】
図２５を参照すると、シェード材料２１０の各第２縁部部分３８８はパネル挿入体３９２の各桟３９８に取り付けられ得る。例えば、各第２縁部部分３８８は、接着剤、両面テープ、締結具、または他の好適な取付手段を介して、各桟３９８に取り付けられ得る。係る実施形態では、パネル挿入体３９２がフレーム構造２０４に対して移動することにより、第２縁部部分３８８が第１縁部部分３８６に対して移動し、それによりシェード材料２１０は開閉される。図２４および図２５を参照すると、スライダ開口部４１８は、パネル挿入体３９２が完全な閉止シェード位置と完全な開放シェード位置との間で摺動することが可能となるサイズおよび形状を有し得る。完全な閉止シェード位置（図２４参照）では、スライダ４１４は、スライダ開口部４１８の一方の端部（例えば底端部）を画成する第１フレーム２３４の１部分と接触し得る。完全な開放シェード位置（図２５参照）では、スライダ４１４は、スライダ開口部４１８の対向端部（例えば上方端部）を画成する第１フレーム２３４の他の部分と接触し得る。図２６および図２７を参照すると、いくつかの実施形態では、展示用ツール２０２は、パネル挿入体３９２を完全な開放シェード位置において放出可能に保持するよう作用する構造を含み得る。例えば、図２６を参照すると、第２フレーム２３６は、第２フレーム２３６の内側表面３６４から第１フレーム２３４に向かって延長するタブ４２４を含み得る。係る実施形態では、第１レール３９４は、パネル挿入体３９２を放出可能に定位置において固定するためにタブ４２４と係合可能な弾性アーム４２６を含み得る。例えば、図２７を参照すると、一実施形態における弾性アーム４２６は、係合後にタブ４２４に対するアーム４２６の横断運動を制限するためにタブ４２４と係合可能である突起物４２８を含み得る。
【００４１】
図２４および図２５を参照すると、ユーザがスライダ４１４を作動させると、展示用ツール２０２は、閉止構成（図２４参照）と開放構成（図２５参照）との間で移行させられる。展示用ツール２０２を開放するためには、スライダ４１４をスライダ開口部４１８内で第１方向（例えば図２４において上向き方向）に摺動するとよい。スライダ４１４がスライダ開口部４１８内で第１方向に移動するにつれて、パネル挿入体３９２の桟３９８が第１方向に平行移動し、それにより各羽根３８２の第２縁部部分３８８は支持シート３８０に沿ってそれぞれの第１縁部部分３８６に向かって移動させられる。その結果、光および／または視野がシェード材料２１０を通過することが可能となる。係る実施形態では、間隙４３０が近傍のセル３９０間で、および／またはセル３９０と、展示用ツール２０２の１部分と、の間で、画成され得る（図２５参照）。スライダ開口部４１８内におけるスライダ４１４の第１方向における平行移動は、例えば、スライダ４１４が、スライダ開口部４１８の上限を画成する第１フレーム２３４の１部分と接触するまで、継続し得る。この位置に達すると、シェード材料２１０は、パネル挿入体３９２のアーム４２６と第２フレーム２３６のタブ４２４との間の係合により、放出可能に開放状態で保持され得る。
【００４２】
展示用ツール２０２を閉止することは、所望により、上述と実質的に逆の順序で達成され得る。これによりユーザは、シェード材料２１０を、完全な閉止位置に、完全な開放位置に、またはこれらの位置間の任意の位置に、置くかどうかを選択することが可能となる。展示用ツール２０２を閉止するためには、スライダ４１４をスライダ開口部４１８内で第１方向と逆の第２方向（例えば図２４において下向き方向）に摺動させるとよい。スライダ４１４がスライダ開口部４１８内で第２方向に移動するにつれて、パネル挿入体３９２の桟３９８が第２方向に平行移動し、それにより各羽根３８２の第１縁部部分３８６および第２縁部部分３８８は互いに対して離間する方向に移動させられる。それにより間隙４３０のサイズが縮小化され、その結果、光および／または視野がシェード材料２１０を通過する能力が制限されることとなる。スライダ開口部４１８内におけるスライダ４１４の第２方向における平行移動は、スライダ４１４が、スライダ開口部４１８の下限を画成する第１フレーム２３４の１部分と接触するまで、継続し得る。展示用ツール２０２が完全に閉止されると、一実施形態におけるシェード材料２１０は、実質的に完全に内側開口部２４０内に配置され得る（図２４参照）。
【００４３】
いくつかの実施形態では、作動要素または機構（例えば、スライダ４１４、パネル挿入体３９２、ブレード８、クランク・ハンドル６８、その他）の動作は、展示用ツール２または２０２がモデルまたは見本となる対応する実サイズのシェードの動作とは機能的に異なり得る。例えば、展示用ツール２または２０２は、シェード材料１０または２１０を、それぞれ、開放位置と閉止位置との間で移動させるために、対応する実サイズのシェードにおいて見られる可撓性の動作要素とは異なる剛性の動作要素（例えば、パネル挿入体３９２、ブレード８、クランク・ハンドル６８、その他）を利用し得る。例えば、展示用ツール２０２のシェード材料２１０により表現される実サイズのシェードは、上述のフレームおよびスライドの機構よりもむしろ、ヘッドレール内で回転可能に受容されるローラ（例えば米国特許第８，４９６，７６８号で開示される動作機構など）により動作され得る。同様に、展示用ツール２のシェード材料１０により表現される実サイズのシェードは、上述のラックおよびピニオンの機構よりもむしろ、リンケージ機構（例えば米国特許第５，８１９，８３３号で開示される動作機構など）により動作され得る。シェード材料１０または２１０は実サイズのシェードとは異なる方法で作動され得るが、結果として生じるシェード材料１０または２１０の動作／運動は実質的に同一であり、したがってユーザまたは顧客は、シェードの審美的構成、機能的構成、および／または異なる構成を評価することが可能である。
【００４４】
展示用ツール２および２０２が実サイズのシェードと同一の動作／作動の機構を有さないにも関わらず、展示用ツール２および２０２は、展示用ツール２および２０２を可能な限りリアリスティックにすることを可能とする機能を有し得る。例えば図２６および図２７を参照すると、展示用ツール２０２は第２フレーム２３６に接続された（例えば一体的に形成された、連結された、その他）羽根４３６を含み得る。羽根４３６（透明性または透光性を有し得る）は、フレーム構造２０４および／またはシェード材料２１０に対して剛性を提供し得る。例えば、羽根４３６は支持シート３８０の後方部分に当接し、それにより動作および／または格納の間、シェード材料２１０を支持し得る。図示のように、羽根４３６は複数の垂直の、離間する線４３８を含み得る。係る実施形態では、線４３８は、展示用ツール２０２が実サイズのシェードを可能な限り正確にモデル化するよう、実サイズのシェードの制御コード（例えば米国特許第８，４９６，７６８号に開示される動作要素など）の概観を模倣し得る。
【００４５】
図２４および図２５を参照すると、展示用ツール２０２は利便性のための他の特徴を含み得る。例えば、展示用ツール２０２は、フレーム構造２０４と一体化された（例えば第１フレーム２３４および第２フレーム２３６との一体化）スタンド４４０を含み得る。図２６で図示されるように、スタンド４４０は、フレーム構造２０４の底端部壁４４４から延長する支柱４４２に回転可能に連結された長尺部材であり得る。いくつかの実施形態では、支柱４４２は、第１フレーム２３４から延長する支柱半体４４６および第２フレーム２３６から延長する支柱半体４４８、により集合的に画成され得る（図２７参照）。スタンド４４０がフレーム構造２０４に対して支柱４４２を中心にして回転すると、スタンド４４０は第１フレーム２３４の前方表面４５０に対して一定の角度で延長する（図２５参照）。十分に回転されると、スタンド４４０は、展示用ツール２０２が支持表面上で直立することを可能にし得る。いくつかの実施形態では、スタンド４４０は、例えば戻り止め構造４５２などを介して閉止位置において放出可能に固定され得る。例えば、スタンド４４０は、スタンド４４０内に（例えばスタンド４４０の第１端部４５６上に）溝部４５４を画成し得る。係る実施形態では、スタンド４４０の溝部４５４内に対応して受容されるためのタブ４５８が、スタンド４４０を閉止位置に放出可能に固定するために、フレーム構造２０４から（例えば底端部壁４４４から）延長し得る。追加的または代替的に、フレーム構造２０４は、スタンド４４０の回転経路内で延長する制限壁４６０を画成し得る。係る実施形態では、制限壁４６０は第１端部４５６の逆側にあるスタンド４４０の第２端部４６２と係合し得る。このようにして、制限壁４６０はスタンド４４０の完全な回転を防止し、さらにスタンド４４０の閉止位置を画成し得る。いくつかの実施形態では、スタンド４４０が閉止位置にあるときにはスタンド４４０が第１フレーム２３４の少なくとも前方表面４５０と実質的に同一平面状となる（図２４参照）よう、制限壁４６０およびスタンド４４０の第２端部４６２は対応する形状を有し得る。
【００４６】
図２３を参照すると、いくつかの実施形態では、展示用ツール２または２０２は、展示用ツール２または２０２を例えば損傷から保護するために、格納容器１６４内に放出可能に格納され得る。格納容器１６４は、展示用ツール２または２０２をその内部に受容するための十分な内側寸法を有するチャンバ１６６を含み得る。係る実施形態では、展示用ツール２または２０２は格納容器１６４内に放出可能に固定され得る。例えば限定なしに、展示用ツール２は、フレーム構造４の端部表面の近傍においてフレーム構造４内に固定された少なくとも１つの磁石を含み得る。例えば図１５、図１５Ｄ、および図１６〜図１７を参照すると、フレーム構造４は受容スロット１３８を含み得る。受容スロット１３８は、第１側壁３２の逆側であるフレーム構造４の第２側壁１４０から内側に画成され、第１磁石を受容するよう構成される。展示用ツール２をチャンバ１６６内に受容することにより第１磁石と第２磁石とが位置合わせされ、それにより展示用ツール２が格納容器１６４のチャンバ１６６内で放出可能に固定されるよう、第２磁石はチャンバ１６６の内側壁部に沿って配置され得る。追加的または代替的に、いくつかの実施形態では、展示用ツール２または２０２は、他の固定手段（例えば対応する保留機能、フックおよびループによる締結具、または任意の他の好適な固定手段を含む）を通して格納容器１６４のチャンバ１６６内に放出可能に固定され得る。
【００４７】
展示用ツール２または２０２（例えばフレーム構造４または２０４、第１フレーム３４または２３４、第２フレーム３６または２３６、パネル挿入体３９２、スタンド４４０、下端部材４２、ブレード８、および駆動組立体６または２０６の各構成要素を含むが、これらに限定されない）は、実質的に任意種類の材料から構築され得る。例えば、フレーム構造４または２０４、下端部材４２、ブレード８、および駆動組立体６は、天然材料および／または合成材料（金属、セラミック、プラスチック、および／または他の好適な材料を含む）から構築され得る。プラスチック材料はとりわけ熱可塑性物質（自己強化または繊維強化）、ＡＢＳ、ポリカーボネート、ポリプロピレン、ポリスチレン、ＰＶＣ、ポリアミド、またはＰＴＦＥを含み得る。フレーム構造４または２０４、下端部材４２、ブレード８、および駆動組立体６は、任意の好適な様式で、例えばプラグ成形、吹込成形、射出成形、切削、その他により、構築、形成、成形、または非成形され得る。いくつかの実施形態では、第２フレーム２３６は、シェード材料２１０上に入射する光を正確にシュミレートするために光がシェード材料２１０を通過することが可能となるよう、少なくとも部分的に透明性または透光性を有し得る。
【００４８】
前述の説明は広範な適用を有する。提供される事例では、Ｐｉｒｏｕｅｔｔｅ（登録商標）ブランドで販売されるシェードを試用する展示用ツールが説明されているが、本明細書で開示される概念が他種類のシェード（ベネチアン・ブラインドおよび積み重ね可能なシェードまたは被覆を含む）に対して等しく適用され得ることを理解すべきである。したがってあらゆる実施形態に関する説明は単に説明を目的とするものであり、請求項を含む本開示の範囲がこれらの事例に限定されることを示唆することを意図するものではない。換言すると、本開示の例示的な実施形態について本明細書で説明してきたが、本考案の概念は別様に様々な形態で具体化および利用され得ること、および添付の請求項が、先行技術により限定される場合を除き、係る変形例を含むものと解釈されることを意図するものであること、を理解すべきである。
【００４９】
前述の説明は例示および説明を目的として提示したものであり、本明細書で開示される形態に本開示を限定することを意図するものではない。例えば、本開示の様々な特徴は、本開示を簡素化する目的のために、１つまたは複数の態様、実施形態、または構成において一緒にグループ化される。一方、本開示の特定的な態様、実施形態、または構成の様々な特徴が代替的な態様、実施形態、または構成において組み合わされ得ることを理解すべきである。さらに以下の請求項は、各請求項が本開示の別個の実施形態としてそれ自体存在する状態で、参照することにより、この考案を実施するための形態に援用され得る。
【００５０】
本明細書で使用される「少なくとも１つ」、「１つまたは複数」、および「および／または」という語句は、結合的および選言的の両方の作用を有する非限定的表現である。
【００５１】
本明細書で用いられる「ａ」または「ａｎ」という用語は、１つまたは複数の当該の実体を指す。そのため、「ａ」（または「ａｎ」）、「１つまたは複数」、および「少なくとも１つ」という用語は本明細書では交換可能に使用され得る。
【００５２】
方向に関する参照（例えば、近位、遠位、上方、下方、上向き、下向き、左、右、横方向、縦方向、前方、後方、上部、底部、上方、下方、垂直、水平、径方向、軸方向、時計方向、および反時計方向）は、本開示に関する読者の理解を支援するために単に識別目的として使用され、特に位置、方向、または本開示の使用に関して限定するものではない。接続に関する参照（例えば、取り付けられた、連結された、接続された、および接合された）は広範に解釈されるべきであり、特に指示される場合を除き、様々な要素の集合間における中間的メンバーを、および要素間の相対的運動を、含み得る。そのため、接続に関する参照は必ずしも２つの要素が直接的に接続されていることを、および互いに対して固定的な関係にあることを、指すものではない。識別に関する参照（例えば、１次的、２次的、第１、第２、第３、第４、その他）は重要度または優先度を意味するものではなく、１つの特徴を他の特徴から区別するために使用されるものである。図面は単に例示を目的とするものにすぎず、本明細書に添付の図面において反映される寸法、位置、順序、および相対的サイズは変動し得る。
【図１】
0003207328.tif 000003
【図２】
0003207328.tif 000004
【図３】
0003207328.tif 000005
【図４】
0003207328.tif 000006
【図５】
0003207328.tif 000007
【図６】
0003207328.tif 000008
【図７】
0003207328.tif 000009
【図８】
0003207328.tif 000010
【図９】
0003207328.tif 000011
【図１０】
0003207328.tif 000012
【図１１】
0003207328.tif 000013
【図１２】
0003207328.tif 000014
【図１３】
0003207328.tif 000015
【図１４】
0003207328.tif 000016
【図１５】
0003207328.tif 000017
【図１５Ａ】
0003207328.tif 000018
【図１５Ｂ】
0003207328.tif 000019
【図１５Ｃ】
0003207328.tif 000020
【図１５Ｄ】
0003207328.tif 000021
【図１６】
0003207328.tif 000022
【図１７】
0003207328.tif 000023
【図１７Ａ】
0003207328.tif 000024
【図１７Ｂ】
0003207328.tif 000025
【図１８】
0003207328.tif 000026
【図１９】
0003207328.tif 000027
【図２０】
0003207328.tif 000028
【図２１】
0003207328.tif 000029
【図２２】
0003207328.tif 000030
【図２３】
0003207328.tif 000031
【図２４】
0003207328.tif 000032
【図２５】
0003207328.tif 000033
【図２６】
0003207328.tif 000034
【図２７】
0003207328.tif 000035
【手続補正書】
【提出日】平成28年8月19日(2016.8.19)
【手続補正１】
【補正対象書類名】実用新案登録請求の範囲
【補正対象項目名】全文
【補正方法】変更
【補正の内容】
【実用新案登録請求の範囲】
【請求項１】
運搬可能なフレーム構造と、
前記フレーム構造に結合され且つ前記フレーム構造内に少なくとも部分的に受容される、駆動組立体と、
前記駆動組立体に少なくとも部分的に接続されるシェード材料であって、前記駆動組立体の動作は、前記シェード材料を、前記フレーム構造内において開放位置と閉止位置との間で移動させる、シェード材料と、
を含む展示用ツール。
【請求項２】
前記駆動組立体は実質的に剛性である、請求項１に記載の展示用ツール。
【請求項３】
前記駆動組立体の実質的に剛性の構造の平行移動または回転は前記シェード材料を前記開放位置と前記閉止位置との間で移動させる、請求項１または請求項２に記載の展示用ツール。
【請求項４】
前記シェード材料は、前記駆動組立体の作動要素を手動により移動させることにより、前記開放位置と前記閉止位置との間で移動される、請求項１〜請求項３のうちのいずれか１項に記載の展示用ツール。
【請求項５】
前記作動要素は前記フレーム構造の側面に取り付けられる、請求項４に記載の展示用ツール。
【請求項６】
前記作動要素は前記フレーム構造と摺動可能に連結されたスライダである、請求項４または請求項５に記載の展示用ツール。
【請求項７】
前記スライダは前記フレーム構造内に画成されたスライダ開口部内に受容される、請求項６に記載の展示用ツール。
【請求項８】
前記作動要素は前記フレーム構造に回転可能に連結されたクランク・ハンドルである、請求項４または請求項５に記載の展示用ツール。
【請求項９】
剛性の動作要素は前記シェード材料を前記開放位置と前記閉止位置との間で移動させる、請求項１〜請求項８のうちのいずれか１項に記載の展示用ツール。
【請求項１０】
前記フレーム構造は高さおよび幅を有し、前記高さおよび前記幅の両方は、前記シェード材料が配置されるであろう最小の建築開口部の高さおよび幅よりも小さい、請求項１〜請求項９のうちのいずれか１項に記載の展示用ツール。
【請求項１１】
前記フレーム構造は前記フレーム構造の少なくとも一方の端部壁の近傍に少なくとも１つのハンドルを含む、請求項１〜請求項１０のうちのいずれか１項に記載の展示用ツール。
【請求項１２】
前記少なくとも１つのハンドルは前記少なくとも一方の端部壁と同一平面状となるよう平坦表面を画成する、請求項１１に記載の展示用ツール。
【請求項１３】
前記駆動組立体は、
前記フレーム構造内に摺動可能に受容される第１レールおよび第２レールと、
前記第１レールと前記第２レールとの間を横切るように延長する複数の桟と、
パネル挿入体を手動により操作するために前記第１レール上に配置されたスライダと、を含む、
パネル挿入体を含み、
前記シェード材料は前記複数の桟に接続され、
前記スライダの摺動運動は前記パネル挿入体を移動させ、それにより前記シェード材料は前記開放位置と前記閉止位置との間で移動される、
請求項１〜請求項１２のいずれか１項に記載の展示用ツール。
【請求項１４】
前記パネル挿入体は実質的に剛性である、請求項１３に記載の展示用ツール。
【請求項１５】
前記フレーム構造により回転可能に支持され且つ前記駆動組立体に動作可能に接続された、複数のブレードをさらに含む、請求項１〜請求項１４のうちのいずれか１項に記載の展示用ツール。
【請求項１６】
前記駆動組立体は、
駆動スプロケットを含むクランク部材と、
各前記複数のブレードに取り付けられたピニオン・ギアと、
前記フレーム構造の長手方向長さに沿って移動可能であり且つ前記駆動スプロケットおよび前記ピニオン・ギアと動作可能に接続された、ラック部材と、
を含む、請求項１５に記載の展示用ツール。
【請求項１７】
前記クランク部材は前記ラック部材を前記フレーム構造の前記長手方向長さに沿って移動させ、それにより前記ピニオン・ギアは回転され、前記複数のブレードは回転駆動される、請求項１６に記載の展示用ツール。
【請求項１８】
前記フレーム構造は第１フレームおよび第２フレームを含む、請求項１〜請求項１７のうちのいずれか１項に記載の展示用ツール。
【請求項１９】
前記駆動組立体の１部分は実質的に前記第１フレームと前記第２フレームとの間で摺動可能に支持される、請求項１８に記載の展示用ツール。
【請求項２０】
建築開口部の被覆の縮小化された見本を試用するための展示用システムであって、
チャンバを画成する格納容器と、
前記チャンバ内に放出可能に固定され、且つ、
フレーム構造、
前記フレーム構造に動作可能に連結された駆動組立体、および、
前記駆動組立体に少なくとも部分的に取り付けられたシェード材料であって、前記駆動組立体の動作は前記シェード材料を前記フレーム構造内において閉止位置と開放位置との間で移動させる、シェード材料、を含む、
展示用ツールと、
を含む、展示用システム。
【請求項２１】
前記駆動組立体は、対応する実サイズのシェードの動作機構と動作的に異なる動作機構を含む、請求項２０に記載の展示用システム。
【請求項２２】
前記展示用ツールは、前記フレーム構造の端部表面の近傍において前記フレーム構造内に固定された少なくとも１つの磁石をさらに含み、
前記格納容器は前記チャンバの内側壁部に沿って配置された対応する磁石を含み、前記展示用ツールを前記チャンバ内で受容することは、前記少なくとも１つの磁石および前記対応する磁石を位置合わせし、それにより前記展示用ツールは前記チャンバ内で放出可能に固定される、
請求項２０または請求項２１に記載の展示用システム。